【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
複数のサブピクセルと、前記各サブピクセルに階調電圧を入力する複数の映像線とを有する液晶表示パネルと、
前記各映像線に前記階調電圧を供給する映像線駆動回路とを備え、
前記各サブピクセルは、画素電極と、対向電極とを有し、
前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、２フレーム毎に、正極性の駆動状態から負極性の駆動状態、あるいは、負極性の駆動状態から正極性の駆動状態へ変化させるとともに、Ｎ（Ｎ≧４）フレーム毎に、前記各サブピクセルの駆動状態の位相を反転させる液晶表示装置であって、
前記位相反転直後の最初のフレームＡの期間に、前記サブピクセルにある一つの階調を表示するために前記映像線駆動回路から前記各映像線に供給する階調電圧をＶＡ、通常のフレームＢの期間に、前記サブピクセルに前記階調を表示するために前記映像線駆動回路から前記各映像線に供給する正規の階調電圧をＶＢとするとき、少なくとも中間階調において、｜ＶＡ｜＜｜ＶＢ｜を満足することを特徴とする液晶表示装置。
【請求項２】
複数の階調基準電圧を生成する階調基準電圧生成回路を備え、
前記映像線駆動回路は、前記階調基準電圧生成回路から入力される複数の階調基準電圧に基づき、前記階調電圧を生成する階調電圧生成回路を有し、
前記階調基準電圧生成回路が、前記フレームＡの期間に生成する前記各階調基準電圧を第１群の各階調基準電圧とし、当該第１群の各階調基準電圧を、それぞれ、ＶＲ１〜ＶＲｊ（ｊ≧３）、前記フレームＢの期間に生成する前記各階調基準電圧を第２群の各階調基準電圧とし、当該第２群の各階調基準電圧を、それぞれ、Ｖ１〜Ｖｊとするとき、
｜ＶＲｋ｜＜｜Ｖｋ｜｛ｋ＝２〜（ｊ−１）｝を満足することを特徴とする請求項１に記載の液晶表示装置。
【請求項３】
前記表示パネルは、前記各サブピクセルに選択走査電圧を入力する複数の走査線を有し、
前記階調基準電圧生成回路は、前記選択走査電圧が供給される前記走査線の位置に応じて、前記ＶＲｋ（ｋ＝２〜（ｊ−１））の各階調基準電圧の電圧値を異ならせ、
前記映像線駆動回路は、前記選択走査電圧が供給される前記走査線上の前記サブピクセルに前記階調電圧を書き込むときに、前記映像線駆動回路から前記走査線までの距離に応じて、少なくとも中間階調において、前記｜ＶＡ｜の電圧値を異ならせることを特徴とする請求項２に記載の液晶表示装置。
【請求項４】
前記選択走査電圧が供給される前記走査線が、前記映像線駆動回路に近い位置の場合の前記ＶＡをＶＡｎ、前記選択走査電圧が供給される前記走査線が、前記映像線駆動回路に遠い位置の場合の前記ＶＡをＶＡｆ、前記選択走査電圧が供給される前記走査線が、前記映像線駆動回路に近い位置と遠い位置の中間の位置の場合の前記ＶＡをＶＡｍとするとき、少なくとも中間階調において、｜ＶＡｎ｜＜｜ＶＡｍ｜＜｜ＶＡｆ｜を満足することを特徴とする請求項３に記載の液晶表示装置。
【請求項５】
表示制御回路を備え、
前記階調基準電圧生成回路は、前記表示制御回路からの階調基準電圧データに基づき、各フレームに生成する前記各階調基準電圧のそれぞれの電圧を設定することを特徴とする請求項２に記載の液晶表示装置。
【請求項６】
前記階調基準電圧データを格納するメモリを有し、
前記表示制御回路は、前記メモリに格納された前記階調基準電圧データを読み出し、前記階調補正表示データを前記階調基準電圧生成回路に送信することを特徴とする請求項５に記載の液晶表示装置。
【請求項７】
前記メモリは、ＥＰＲＯＭであることを特徴とする請求項６に記載の液晶表示装置。
【請求項８】
前記対向電極に印加する対向電圧は、一定の電圧であることを特徴とする請求項１に記載の液晶表示装置。
【請求項９】
前記液晶表示パネルは、液晶を挟持する一対の基板を有し、
前記画素電極と、前記対向電極は、前記一対の基板の一方の基板上に形成されており、
前記対向電極と前記画素電極は、絶縁膜を介して積層されていることを特徴とする請求項１に記載の液晶表示装置。
【請求項１０】
複数のサブピクセルと、前記各サブピクセルに階調電圧を入力する複数の映像線とを有する液晶表示パネルと、
タイミング調整を行う表示制御回路と、
前記表示制御回路が搭載されたプリント配線基板と、
前記液晶表示パネルまたは前記プリント配線基板の温度を検出する温度検出器と、
前記各映像線に前記階調電圧を供給する映像線駆動回路とを備え、
前記各サブピクセルは、画素電極と、対向電極とを有し、
前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、２フレーム毎に、正極性の駆動状態から負極性の駆動状態、あるいは、負極性の駆動状態から正極性の駆動状態へ変化させるとともに、Ｎ（Ｎ≧４）フレーム毎に、前記各サブピクセルの駆動状態の位相を反転させる液晶表示装置であって、
前記位相反転直後の最初のフレームＡの期間に、前記サブピクセルにある一つの階調を表示するために前記映像線駆動回路から前記各映像線に供給する階調電圧をＶＡ、通常のフレームＢの期間に、前記サブピクセルに前記階調を表示するために前記映像線駆動回路から前記各映像線に供給する正規の階調電圧をＶＢとするとき、少なくとも中間階調において、｜ＶＡ｜＜｜ＶＢ｜を満足し、
前記ＶＡは、前記温度検出器で検出した温度に基づき設定されることを特徴とする液晶表示装置。
【請求項１１】
Ｔ１を第１の温度、Ｔ２をＴ１よりも高温（Ｔ１＜Ｔ２）の第２の温度とするとき、
前記温度検出器で検出した温度がＴ１のときの前記ＶＡの値をＶＡＴ１、前記温度検出器で検出した温度がＴ２のときの前記ＶＡの値をＶＡＴ２とするとき、少なくとも中間階調において、｜ＶＡＴ１｜＞｜ＶＡＴ２｜を満足することを特徴とする請求項１０に記載の液晶表示装置。
【請求項１２】
複数の階調基準電圧を生成する階調基準電圧生成回路を備え、
前記映像線駆動回路は、前記階調基準電圧生成回路から入力される複数の階調基準電圧に基づき、前記階調電圧を生成する階調電圧生成回路を有し、
前記階調基準電圧生成回路が、前記フレームＡの期間に生成する前記各階調基準電圧を第１群の各階調基準電圧、前記フレームＢの期間に生成する前記各階調基準電圧を第２群の各階調基準電圧とし、前記階調基準電圧生成回路が前記Ｔ１の温度の時に生成する前記第１群の各階調基準電圧を、それぞれ、ＶＲＴ１〜ＶＲｊＴ１（ｊ≧３）、前記Ｔ２の温度の時に生成する前記第１群の各階調基準電圧を、それぞれ、ＶＲ１Ｔ２〜ＶＴｊＴ２とするとき、
｜ＶＲｋＴ１｜＞｜ＶＲｋＴ２｜｛ｋ＝２〜（ｊ−１）｝を満足することを特徴とする請求項１１に記載の液晶表示装置。
【請求項１３】
前記温度検出器で検出した温度がＴ２のときに、前記位相反転直後の最初のフレームに連続するフレームＣに前記映像線駆動回路から前記各映像線に供給する階調電圧をＶＡ２とするとき、少なくとも中間階調において、｜ＶＢ｜＜｜ＶＡ２｜を満足することを特徴とする請求項１１に記載の液晶表示装置。
【請求項１４】
前記階調基準電圧生成回路が前記フレームＣの期間に生成する前記第１群の各階調基準電圧を、それぞれ、ＶＲＣ１〜ＶＲＣｊ（ｊ≧３）とするとき、
｜Ｖｋ｜＜｜ＶＲＣｋ｜｛ｋ＝２〜（ｊ−１）｝を満足することを特徴とする請求項１３に記載の液晶表示装置。
【請求項１５】
前記階調基準電圧生成回路は、前記表示制御回路からの階調基準電圧データに基づき、各フレームに生成する前記各階調基準電圧のそれぞれの電圧を設定することを特徴とする請求項１２に記載の液晶表示装置。
【請求項１６】
複数のサブピクセルを有する液晶表示パネルと、前記複数のサブピクセルの各サブピクセルに走査電圧を入力する複数の走査線と、前記複数のサブピクセルの各サブピクセルに映像電圧を入力する複数の映像線とを備える液晶表示パネルと、
前記複数の走査線に走査電圧を供給する走査線駆動回路と、
前記複数の映像線に映像電圧を供給する映像線駆動回路とを備え、
前記複数のサブピクセルの各サブピクセルは、画素電極と、対向電極とを有し、
前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、２フレーム毎に、正極性の駆動状態から負極性の駆動状態、あるいは、負極性の駆動状態から正極性の駆動状態へ変化させるとともに、Ｎ（Ｎ≧４）フレーム毎に、前記各サブピクセルの駆動状態の位相を反転させる液晶表示装置であって、
前記位相反転直後の最初のフレームＡの期間の１水平走査期間の長さを、通常のフレームＢの期間の１水平走査期間の長さよりも短くすることを特徴とする液晶表示装置。
【請求項１７】
前記走査線駆動回路にシフトクロックを送出する表示制御回路を備え、
前記表示制御回路は、前記シフトクロックのパルス幅を変更し、前記位相反転直後の最初のフレームＡの期間の１水平走査期間の長さを（Ｈａ−α）（αを任意の値）、通常のフレームＢの期間の１水平走査期間の長さをＨａとすることを特徴とする請求項１６に記載の液晶表示装置。
【請求項１８】
前記位相反転直後の最初のフレームＡの期間の１水平走査期間における前記シフトクロックのＨｉｇｈレベルのパルス幅が、前記通常のフレームＢの期間の１水平走査期間の前記シフトクロックにおけるＨｉｇｈレベルのパルス幅よりも広いことを特徴とする請求項１７に記載の液晶表示装置。
【請求項１９】
前記対向電極に印加する対向電圧は、一定の電圧であることを特徴とする請求項１６に記載の液晶表示装置。
【請求項２０】
複数のサブピクセルを有する液晶表示パネルと、前記複数のサブピクセルの各サブピクセルに走査電圧を入力する複数の走査線と、前記複数のサブピクセルの各サブピクセルに  映像電圧を入力する複数の映像線とを備える液晶表示パネルと、
前記複数の走査線に走査電圧を供給する走査線駆動回路と、
前記複数の映像線に映像電圧を供給する映像線駆動回路とを備え、
前記複数のサブピクセルの各サブピクセルは、画素電極と、対向電極とを有し、
前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、２フレーム毎に、正極性の駆動状態から負極性の駆動状態、あるいは、負極性の駆動状態から正極性の駆動状態へ変化させるとともに、Ｎ（Ｎ≧４）フレーム毎に、前記各サブピクセルの駆動状態の位相を反転させる液晶表示装置であって、
前記位相反転直後の最初のフレームＡの期間の１水平走査期間の映像電圧の基準書き込み時間を、通常のフレームＢの期間の１水平走査期間の映像電圧の基準書き込み時間よりも短くすることを特徴とする液晶表示装置。
【請求項２１】
前記映像線駆動回路に出力タイミング制御用クロックを送出する表示制御回路を備え、
前記表示制御回路は、前記出力タイミング制御用クロックのパルス幅を変更し、前記位相反転直後の最初のフレームＡの期間の１水平走査期間の映像電圧の基準書き込み時間を（Ｈｂ−β）（βを任意の値）、通常のフレームＢの期間の１水平走査期間の映像電圧の基準書き込み時間をＨｂとすることを特徴とする請求項２０に記載の液晶表示装置。
【請求項２２】
前記位相反転直後の最初のフレームＡの期間の１水平走査期間における前記出力タイミング制御用クロックのＨｉｇｈレベルのパルス幅が、前記通常のフレームＢの期間の１水平走査期間の前記出力タイミング制御用クロックにおけるＨｉｇｈレベルのパルス幅よりも広いことを特徴とする請求項２１に記載の液晶表示装置。
【請求項２３】
複数のサブピクセルと、前記各サブピクセルに階調電圧を入力する複数の映像線とを有する液晶表示パネルと、
前記各映像線に前記階調電圧を供給する映像線駆動回路とを備え、
前記各サブピクセルは、画素電極と、対向電極とを有し、
前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、１フレーム毎に、正極性の駆動状態から負極性の駆動状態、あるいは、負極性の駆動状態から正極性の駆動状態へ変化させるとともに、Ｍ（Ｍ≧２）フレーム毎に、前記各サブピクセルの駆動状態の位相を反転させる液晶表示装置であって、
前記位相反転直後の最初のフレームＡの期間に、前記サブピクセルにある一つの階調を表示するために前記映像線駆動回路から前記各映像線に供給する階調電圧をＶＡ、通常のフレームＢの期間に、前記サブピクセルに前記階調を表示するために前記映像線駆動回路から前記各映像線に供給する正規の階調電圧をＶＢとするとき、少なくとも中間階調において、｜ＶＡ｜＜｜ＶＢ｜を満足することを特徴とする液晶表示装置。
【請求項２４】
複数のサブピクセルを有する液晶表示パネルと、前記複数のサブピクセルの各サブピクセルに走査電圧を入力する複数の走査線と、前記複数のサブピクセルの各サブピクセルに映像電圧を入力する複数の映像線とを備える液晶表示パネルと、
前記複数の走査線に走査電圧を供給する走査線駆動回路と、
前記複数の映像線に映像電圧を供給する映像線駆動回路とを備え、
前記複数のサブピクセルの各サブピクセルは、画素電極と、対向電極とを有し、
前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、１フレーム毎に、正極性の駆動状態から負極性の駆動状態、あるいは、負極性の駆動状態から正極性の駆動状態へ変化させるとともに、Ｍ（Ｍ≧２）フレーム毎に、前記各サブピクセルの駆動状態の位相を反転させる液晶表示装置であって、
前記位相反転直後の最初のフレームＡの期間の１水平走査期間の長さを、通常のフレームＢの期間の１水平走査期間の長さよりも短くすることを特徴とする液晶表示装置。
【請求項２５】
複数のサブピクセルを有する液晶表示パネルと、前記複数のサブピクセルの各サブピクセルに走査電圧を入力する複数の走査線と、前記複数のサブピクセルの各サブピクセルに映像電圧を入力する複数の映像線とを備える液晶表示パネルと、
前記複数の走査線に走査電圧を供給する走査線駆動回路と、
前記複数の映像線に映像電圧を供給する映像線駆動回路とを備え、
前記複数のサブピクセルの各サブピクセルは、画素電極と、対向電極とを有し、
前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、１フレーム毎に、正極性の駆動状態から負極性の駆動状態、あるいは、負極性の駆動状態から正極性の駆動状態へ変化させるとともに、Ｍ（Ｍ≧２）フレーム毎に、前記各サブピクセルの駆動状態の位相を反転させる液晶表示装置であって、
前記位相反転直後の最初のフレームＡの期間の１水平走査期間の映像電圧の基準書き込み時間を、通常のフレームＢの期間の１水平走査期間の映像電圧の基準書き込み時間よりも短くすることを特徴とする液晶表示装置。
【手続補正２】
【補正対象書類名】明細書
【補正対象項目名】０００６
【補正方法】変更
【補正の内容】
【０００６】
本願において開示される発明のうち、代表的なものの概要を簡単に説明すれば、下記の通りである。
（１）複数のサブピクセルと、前記各サブピクセルに階調電圧を入力する複数の映像線とを有する液晶表示パネルと、前記各映像線に前記階調電圧を供給する映像線駆動回路とを備え、前記各サブピクセルは、画素電極と、対向電極とを有し、前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、２フレーム毎に、正極性の駆動状態から負極性の駆動状態、あるいは、負極性の駆動状態から正極性の駆動状態へ変化させるとともに、Ｎ（Ｎ≧４）フレーム毎に、前記各サブピクセルの駆動状態の位相を反転させる液晶表示装置であって、前記位相反転直後の最初のフレームＡの期間に、前記サブピクセルにある一つの階調を表示するために前記映像線駆動回路から前記各映像線に供給する階調電圧をＶＡ、通常のフレームＢの期間に、前記サブピクセルに前記階調を表示するために前記映像線駆動回路から前記各映像線に供給する正規の階調電圧をＶＢとするとき、少なくとも中間階調において、｜ＶＡ｜＜｜ＶＢ｜を満足する。
（２）（１）において、複数の階調基準電圧を生成する階調基準電圧生成回路を備え、前記映像線駆動回路は、前記階調基準電圧生成回路から入力される複数の階調基準電圧に基づき、前記階調電圧を生成する階調電圧生成回路を有し、前記階調基準電圧生成回路が、前記フレームＡの期間に生成する前記各階調基準電圧を第１群の各階調基準電圧とし、当該第１群の各階調基準電圧を、それぞれ、ＶＲ１〜ＶＲｊ（ｊ≧３）、前記フレームＢの期間に生成する前記各階調基準電圧を第２群の各階調基準電圧とし、当該第２群の各階調基準電圧を、それぞれ、Ｖ１〜Ｖｊとするとき、｜ＶＲｋ｜＜｜Ｖｋ｜｛ｋ＝２〜（ｊ−１）｝を満足する。
（３）（２）において、前記表示パネルは、前記各サブピクセルに選択走査電圧を入力する複数の走査線を有し、前記階調基準電圧生成回路は、前記選択走査電圧が供給される前記走査線の位置に応じて、前記ＶＲｋ（ｋ＝２〜（ｊ−１））の各階調基準電圧の電圧値を異ならせ、前記映像線駆動回路は、前記選択走査電圧が供給される前記走査線上の前記サブピクセルに前記階調電圧を書き込むときに、前記映像線駆動回路から前記走査線までの距離に応じて、少なくとも中間階調において、前記｜ＶＡ｜の電圧値を異ならせる。
（４）（３）において、前記選択走査電圧が供給される前記走査線が、前記映像線駆動回路に近い位置の場合の前記ＶＡをＶＡｎ、前記選択走査電圧が供給される前記走査線が、前記映像線駆動回路に遠い位置の場合の前記ＶＡをＶＡｆ、前記選択走査電圧が供給される前記走査線が、前記映像線駆動回路に近い位置と遠い位置の中間の位置の場合の前記ＶＡをＶＡｍとするとき、少なくとも中間階調において、｜ＶＡｎ｜＜｜ＶＡｍ｜＜｜ＶＡｆ｜を満足する。
（５）（２）において、表示制御回路を備え、前記階調基準電圧生成回路は、前記表示制御回路からの階調基準電圧データに基づき、各フレームに生成する前記各階調基準電圧のそれぞれの電圧を設定する。
（６）（５）において、前記階調基準電圧データを格納するメモリを有し、前記表示制御回路は、前記メモリに格納された前記階調基準電圧データを読み出し、前記階調補正表示データを前記階調基準電圧生成回路に送信する。
（７）（６）において、前記メモリは、ＥＰＲＯＭである。
（８）（１）において、前記対向電極に印加する対向電圧は、一定の電圧である。
（９）（１）において、前記液晶表示パネルは、液晶を挟持する一対の基板を有し、前記画素電極と、前記対向電極は、前記一対の基板の一方の基板上に形成されており、前記対向電極と前記画素電極は、絶縁膜を介して積層されている。
【手続補正３】
【補正対象書類名】明細書
【補正対象項目名】０００７
【補正方法】変更
【補正の内容】
【０００７】
（１０）複数のサブピクセルと、前記各サブピクセルに階調電圧を入力する複数の映像線とを有する液晶表示パネルと、タイミング調整を行う表示制御回路と、前記表示制御回路が搭載されたプリント配線基板と、前記液晶表示パネルまたは前記プリント配線基板の温度を検出する温度検出器と、前記各映像線に前記階調電圧を供給する映像線駆動回路とを備え、前記各サブピクセルは、画素電極と、対向電極とを有し、前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、２フレーム毎に、正極性の駆動状態から負極性の駆動状態、あるいは、負極性の駆動状態から正極性の駆動状態へ変化させるとともに、Ｎ（Ｎ≧４）フレーム毎に、前記各サブピクセルの駆動状態の位相を反転させる液晶表示装置であって、前記位相反転直後の最初のフレームＡの期間に、前記サブピクセルにある一つの階調を表示するために前記映像線駆動回路から前記各映像線に供給する階調電圧をＶＡ、通常のフレームＢの期間に、前記サブピクセルに前記階調を表示するために前記映像線駆動回路から前記各映像線に供給する正規の階調電圧をＶＢとするとき、少なくとも中間階調において、｜ＶＡ｜＜｜ＶＢ｜を満足し、前記ＶＡは、前記温度検出器で検出した温度に基づき設定される。
（１１）（１０）において、Ｔ１を第１の温度、Ｔ２をＴ１よりも高温（Ｔ１＜Ｔ２）の第２の温度とするとき、前記温度検出器で検出した温度がＴ１のときの前記ＶＡの値をＶＡＴ１、前記温度検出器で検出した温度がＴ２のときの前記ＶＡの値をＶＡＴ２とするとき、少なくとも中間階調において、｜ＶＡＴ１｜＞｜ＶＡＴ２｜を満足する。
（１２）（１１）において、複数の階調基準電圧を生成する階調基準電圧生成回路を備え、前記映像線駆動回路は、前記階調基準電圧生成回路から入力される複数の階調基準電圧に基づき、前記階調電圧を生成する階調電圧生成回路を有し、前記階調基準電圧生成回路が、前記フレームＡの期間に生成する前記各階調基準電圧を第１群の各階調基準電圧、前記フレームＢの期間に生成する前記各階調基準電圧を第２群の各階調基準電圧とし、前記階調基準電圧生成回路が前記Ｔ１の温度の時に生成する前記第１群の各階調基準電圧を、それぞれ、ＶＲＴ１〜ＶＲｊＴ１（ｊ≧３）、前記Ｔ２の温度の時に生成する前記第１群の各階調基準電圧を、それぞれ、ＶＲ１Ｔ２〜ＶＴｊＴ２とするとき、｜ＶＲｋＴ１｜＞｜ＶＲｋＴ２｜｛ｋ＝２〜（ｊ−１）｝を満足する。
（１３）（１１）において、前記温度検出器で検出した温度がＴ２のときに、前記位相反転直後の最初のフレームに連続するフレームＣに前記映像線駆動回路から前記各映像線に供給する階調電圧をＶＡ２とするとき、少なくとも中間階調において、｜ＶＢ｜＜｜ＶＡ２｜を満足する。
（１４）（１３）において、前記階調基準電圧生成回路が前記フレームＣの期間に生成する前記第１群の各階調基準電圧を、それぞれ、ＶＲＣ１〜ＶＲＣｊ（ｊ≧３）とするとき、｜Ｖｋ｜＜｜ＶＲＣｋ｜｛ｋ＝２〜（ｊ−１）｝を満足する。
（１５）（１２）において、前記階調基準電圧生成回路は、前記表示制御回路からの階調基準電圧データに基づき、各フレームに生成する前記各階調基準電圧のそれぞれの電圧を設定する。
【手続補正４】
【補正対象書類名】明細書
【補正対象項目名】０００８
【補正方法】変更
【補正の内容】
【０００８】
（１６）複数のサブピクセルを有する液晶表示パネルと、前記複数のサブピクセルの各サブピクセルに走査電圧を入力する複数の走査線と、前記複数のサブピクセルの各サブピクセルに映像電圧を入力する複数の映像線とを備える液晶表示パネルと、前記複数の走査線に走査電圧を供給する走査線駆動回路と、前記複数の映像線に映像電圧を供給する映像線駆動回路とを備え、前記複数のサブピクセルの各サブピクセルは、画素電極と、対向電極とを有し、前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、２フレーム毎に、正極性の駆動状態から負極性の駆動状態、あるいは、負極性の駆動状態から正極性の駆動状態へ変化させるとともに、Ｎ（Ｎ≧４）フレーム毎に、前記各サブピクセルの駆動状態の位相を反転させる液晶表示装置であって、前記位相反転直後の最初のフレームＡの期間の１水平走査期間の長さを、通常のフレームＢの期間の１水平走査期間の長さよりも短くする。
（１７）（１６）において、前記走査線駆動回路にシフトクロックを送出する表示制御回路を備え、前記表示制御回路は、前記シフトクロックのパルス幅を変更し、前記位相反転直後の最初のフレームＡの期間の１水平走査期間の長さを（Ｈａ−α）（αを任意の値）、通常のフレームＢの期間の１水平走査期間の長さをＨａとする。
（１８）（１７）において、前記位相反転直後の最初のフレームＡの期間の１水平走査期間における前記シフトクロックのＨｉｇｈレベルのパルス幅が、前記通常のフレームＢの期間の１水平走査期間の前記シフトクロックにおけるＨｉｇｈレベルのパルス幅よりも広い。
（１９）（１６）において、前記対向電極に印加する対向電圧は、一定の電圧である。
【手続補正５】
【補正対象書類名】明細書
【補正対象項目名】０００９
【補正方法】変更
【補正の内容】
【０００９】
（２０）複数のサブピクセルを有する液晶表示パネルと、前記複数のサブピクセルの各サブピクセルに走査電圧を入力する複数の走査線と、前記複数のサブピクセルの各サブピクセルに映像電圧を入力する複数の映像線とを備える液晶表示パネルと、前記複数の走査線に走査電圧を供給する走査線駆動回路と、前記複数の映像線に映像電圧を供給する映像線駆動回路とを備え、前記複数のサブピクセルの各サブピクセルは、画素電極と、対向電極とを有し、前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、２フレーム毎に、正極性の駆動状態から負極性の駆動状態、あるいは、負極性の駆動状態から正極性の駆動状態へ変化させるとともに、Ｎ（Ｎ≧４）フレーム毎に、前記各サブピクセルの駆動状態の位相を反転させる液晶表示装置であって、前記位相反転直後の最初のフレームＡの期間の１水平走査期間の映像電圧の基準書き込み時間を、通常のフレームＢの期間の１水平走査期間の映像電圧の基準書き込み時間よりも短くする。
（２１）（２０）において、前記映像線駆動回路に出力タイミング制御用クロックを送出する表示制御回路を備え、前記表示制御回路は、前記出力タイミング制御用クロックのパルス幅を変更し、前記位相反転直後の最初のフレームＡの期間の１水平走査期間の映像電圧の基準書き込み時間を（Ｈｂ−β）（βを任意の値）、通常のフレームＢの期間の１水平走査期間の映像電圧の基準書き込み時間をＨｂとする。
（２２）（２１）において、前記位相反転直後の最初のフレームＡの期間の１水平走査期間における前記出力タイミング制御用クロックのＨｉｇｈレベルのパルス幅が、前記通常のフレームＢの期間の１水平走査期間の前記出力タイミング制御用クロックにおけるＨｉｇｈレベルのパルス幅よりも広い。
【手続補正６】
【補正対象書類名】明細書
【補正対象項目名】００１０
【補正方法】変更
【補正の内容】
【００１０】
（２３）複数のサブピクセルと、前記各サブピクセルに階調電圧を入力する複数の映像線とを有する液晶表示パネルと、前記各映像線に前記階調電圧を供給する映像線駆動回路とを備え、前記各サブピクセルは、画素電極と、対向電極とを有し、前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、１フレーム毎に、正極性の駆動状態から負極性の駆動状態、あるいは、負極性の駆動状態から正極性の駆動状態へ変化させるとともに、Ｍ（Ｍ≧２）フレーム毎に、前記各サブピクセルの駆動状態の位相を反転させる液晶表示装置であって、前記位相反転直後の最初のフレームＡの期間に、前記サブピクセルにある一つの階調を表示するために前記映像線駆動回路から前記各映像線に供給する階調電圧をＶＡ、通常のフレームＢの期間に、前記サブピクセルに前記階調を表示するために前記映像線駆動回路から前記各映像線に供給する正規の階調電圧をＶＢとするとき、少なくとも中間階調において、｜ＶＡ｜＜｜ＶＢ｜を満足する。
【手続補正７】
【補正対象書類名】明細書
【補正対象項目名】００１１
【補正方法】変更
【補正の内容】
【００１１】
（２４）複数のサブピクセルを有する液晶表示パネルと、前記複数のサブピクセルの各サブピクセルに走査電圧を入力する複数の走査線と、前記複数のサブピクセルの各サブピクセルに映像電圧を入力する複数の映像線とを備える液晶表示パネルと、前記複数の走査線に走査電圧を供給する走査線駆動回路と、前記複数の映像線に映像電圧を供給する映像線駆動回路とを備え、前記複数のサブピクセルの各サブピクセルは、画素電極と、対向電極とを有し、前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、１フレーム毎に、正極性の駆動状態から負極性の駆動状態、あるいは、負極性の駆動状態から正極性の駆動状態へ変化させるとともに、Ｍ（Ｍ≧２）フレーム毎に、前記各サブピクセルの駆動状態の位相を反転させる液晶表示装置であって、前記位相反転直後の最初のフレームＡの期間の１水平走査期間の長さを、通常のフレームＢの期間の１水平走査期間の長さよりも短くする。
【手続補正８】
【補正対象書類名】明細書
【補正対象項目名】００１２
【補正方法】変更
【補正の内容】
【００１２】
（２５）複数のサブピクセルを有する液晶表示パネルと、前記複数のサブピクセルの各サブピクセルに走査電圧を入力する複数の走査線と、前記複数のサブピクセルの各サブピクセルに映像電圧を入力する複数の映像線とを備える液晶表示パネルと、前記複数の走査線に走査電圧を供給する走査線駆動回路と、前記複数の映像線に映像電圧を供給する映像線駆動回路とを備え、前記複数のサブピクセルの各サブピクセルは、画素電極と、対向電極とを有し、前記画素電極に対して前記対向電極に印加する対向電圧よりも高電位の階調電圧を印加するときを正極性の駆動状態、また、前記画素電極に対して前記対向電極に印加する対向電圧よりも低電位の階調電圧を印加するときを負極性の駆動状態とするとき、前記映像線駆動回路は、前記各サブピクセルの駆動状態として、１フレーム毎に、正極性の駆動状態から負極性の駆動状態、あるいは、負極性の駆動状態から正極性の駆動状態へ変化させるとともに、Ｍ（Ｍ≧２）フレーム毎に、前記各サブピクセルの駆動状態の位相を反転させる液晶表示装置であって、前記位相反転直後の最初のフレームＡの期間の１水平走査期間の映像電圧の基準書き込み時間を、通常のフレームＢの期間の１水平走査期間の映像電圧の基準書き込み時間よりも短くする。